(57)【特許請求の範囲】
【請求項１】
鏡胴に回動自在に設けられたカム筒を回動させることにより、カム筒のカム溝にカム従動子を介して係合された複数のレンズ保持枠を撮影光軸に沿って移動させることによりズーミングを行うズームレンズ装置において、
前記レンズ保持枠は、少なくとも第１移動レンズを保持した第１保持枠と第２移動レンズを保持した第２保持枠とを備え、
前記第１保持枠には、前記第２保持枠に形成されたカム従動子取付部を逃がすための逃げ溝が形成され、
前記第１保持枠の前記逃げ溝の外周部には、前記第２保持枠の前記カム従動子を逃がすための溝が形成された遮光部材が取り付けられていることを特徴とするズームレンズ装置。
【発明の詳細な説明】
【０００１】
【発明の属する技術分野】
本発明はズームレンズ装置に係り、特に変倍レンズ群とピント補正レンズ群とを撮影光軸に沿って前後移動させることにより、ズーミングを行うズームレンズ装置に関する。
【０００２】
【従来の技術】
従来、ＥＮＧ（electric news gathering ）カメラ用のズームレンズ装置は、変倍レンズ群とピント補正レンズ群とによる２群の移動レンズによってズーミングを行うものが主流であったが、最近では、変倍レンズ群とピント補正レンズ群との間に収差補正レンズ群を設けた３群の移動レンズ群でズーム性能の向上を図っているものもある（特開平１０−１４２４７１号公報参照）。
【０００３】
このようなズームレンズ装置の鏡胴にはカム筒が回転自在に設けられ、このカム筒には、変倍レンズ群、ピント補正レンズ群、及び収差補正レンズ群の各々のカムローラが係合される３本のカム溝が形成されている。また、前記カムローラは、前記カム溝を貫通して、カム筒の外側に配置された固定筒の直進溝に係合されている。したがって、カム筒を回転させると、カム溝と直進溝とによる直進案内作用によって、変倍レンズ群、ピント補正レンズ群、及び収差補正レンズ群が光軸方向に前後移動する。
【０００４】
図１１は変倍レンズ群１、収差補正レンズ群２、及びピント補正レンズ群３が撮影光軸Ｐの前方で、且つ各々のレンズ群１〜３が最も接近した位置に位置された状態を示している。変倍レンズ群１の保持枠４、収差補正レンズ群２の保持枠５、及びピント補正レンズ群３の保持枠６には、カムローラ７、８、９が突設されている。
【０００５】
図１２は、変倍レンズ群１の保持枠４の展開図であり、この保持枠４には３本（図１２では２本のみ図示）のカムローラ７が等間隔で突設されている。また、同図の如く、変倍レンズ群１の保持枠４には、逃げ溝４Ａ、４Ｂが等間隔で３箇所（図１２では２箇所のみ図示）形成されている。逃げ溝４Ａは、収差補正レンズ群２の保持枠５に形成されたカムローラ取付部５Ａの逃げ溝であり、逃げ溝４Ｂは、ピント補正レンズ群３の保持枠６に形成されたカムローラ取付部６Ａの逃げ溝である。
【０００６】
このように、従来のズームレンズ装置は、変倍レンズ群１の保持枠４に逃げ溝４Ａ、４Ｂを形成し、収差補正レンズ群２及びピント補正レンズ群３の移動ストロークを長くとることによって、ズーム性能（収差補正性能、ピント補正性能）の向上を図っている。
【０００７】
【発明が解決しようとする課題】
しかしながら、従来のズームレンズ装置は、変倍レンズ群１の保持枠４に逃げ溝４Ａ、４Ｂが形成されているため、これらの逃げ溝４Ａ、４Ｂにカムローラ取付部５Ａ及びカムローラ取付部６Ａが位置している場合はよいが、カムローラ取付部５Ａ及びカムローラ取付部６Ａが逃げ溝４Ａ、４Ｂから離れると、この溝４Ａ、４Ｂから有害光線（迷光）がカメラ側に入射し、ゴーストが発生する場合があるという欠点があった。特に、被写体側に近い逃げ溝４Ｂからの有害光線によってゴーストが発生していた。
【０００８】
本発明は、このような事情に鑑みてなされたもので、ズーム性能を向上させるための逃げ溝がレンズ保持枠に形成されたズームレンズ装置であって、逃げ溝からの有害光線の入射を防止することができるズームレンズ装置を提供することを目的としている。
【０００９】
【課題を解決するための手段】
請求項１に記載の発明は、前記目的を達成するために、鏡胴に回動自在に設けられたカム筒を回動させることにより、カム筒のカム溝にカム従動子を介して係合された複数のレンズ保持枠を撮影光軸に沿って移動させることによりズーミングを行うズームレンズ装置において、前記レンズ保持枠は、少なくとも第１移動レンズを保持した第１保持枠と第２移動レンズを保持した第２保持枠とを備え、前記第１保持枠には、前記第２保持枠に形成されたカム従動子取付部を逃がすための逃げ溝が形成され、前記第１保持枠の前記逃げ溝の外周部には、前記第２保持枠の一部を逃がすための溝が形成された遮光部材が取り付けられていることを特徴としている。
【００１０】
請求項１に記載の発明は、第１保持枠の逃げ溝の外周部に、第２保持枠のカム従動子のみを逃がすための溝が形成された遮光部材を取り付けたので、逃げ溝からカメラ側に入射する有害光線の量を大幅に減少させることができる。
【００１４】
【発明の実施の形態】
以下、添付図面に従って本発明に係るズームレンズ装置の好ましい実施の形態を詳説する。
【００１５】
図１、図２は、本発明が適用されたＥＮＧカメラ用ズームレンズ装置の一部破断を含む側面図であり、このズームレンズ装置のレンズ鏡胴１０にはフォーカスリング１２、ズームリング１４、アイリスリング１６が回動自在設けられている。また、レンズ鏡胴１０内には、図１中左側からフォーカスレンズ群（図示せず）、変倍レンズ群（第１移動レンズに相当）１８、収差補正レンズ群（第３移動レンズに相当）２０、ピント補正レンズ群（第２移動レンズに相当）２２、及びアイリス、リレーレンズ（図示せず）が順に設けられている。
【００１６】
フォーカスレンズ群は、フォーカスリング１２と一体に形成されたフォーカス鏡胴２４に支持され、フォーカス鏡胴２４は、レンズ鏡胴本体１１にヘリコイドネジ機構によって前後方向に移動自在に支持されている。したがって、フォーカスリング１２を介してフォーカス鏡胴２４を回動すると、フォーカスレンズ群が前後方向に移動して、フォーカス調整が行われる。
【００１７】
変倍レンズ群１８は図３、図４に示すように、レンズ保持枠２６に支持される。レンズ保持枠２６の外周部には、３本のカムローラ（カム従動子に相当：図３では２本図示）２８が突設され、このカムローラ２８は図２のズームカム筒３０のカム溝３２に係合される。また、カムローラ２８は、その上端部がカム溝３２から突出されて、固定筒３４の直進溝３６に係合される。
【００１８】
収差補正レンズ群２０は、図３、図４の如くレンズ保持枠３８に支持されている。レンズ保持枠３８の外周部には、略矩形状のカムローラ取付部（カム従動子取付部に相当）３９が等間隔で３箇所（図３では２箇所図示）形成され、これらのカムローラ取付部３９には、カムローラ４０がそれぞれ突設されている。これらのカムローラ４０は、図２のズームカム筒３０のカム溝４２に係合される。また、カムローラ４０は、その上端部がカム溝４２から突出されて、固定筒３４の直進溝３６に係合されている。
【００１９】
ピント補正レンズ群２２は、図３、図４の如くレンズ保持枠４４に支持される。このレンズ保持枠４４の外周部には、略矩形状のカムローラ取付部（カム従動子取付部に相当）４５が等間隔で３箇所形成され、これらのカムローラ取付部４５には、カムローラ４６がそれぞれ突設されている。これらのカムローラ４６は、図２のズームカム筒３０のカム溝４８に係合される。また、カムローラ４６は、その上端部がカム溝４８から突出されて、固定筒３４の直進溝３６に係合されている。
【００２０】
一方、ズームカム筒３０はレンズ鏡胴１０内で撮影光軸を中心に回動自在に配置されている。固定筒３４は、ピン５０を介してレンズ鏡胴本体１１に固定されている。また、ズームカム筒３０は、ピン５２を介してズームリング１４と連結されている。したがって、ズームリング１４が回動されると、これに伴いズームカム筒３０がズームリング１４と一体に回転される。
【００２１】
ズームカム筒３０が回動されると、変倍レンズ群１８は、カムローラ２８が係合されたカム溝３２と直進溝３６とによる直進案内作用によって撮影光軸に沿って前後移動され、また、収差補正レンズ群２０も、カムローラ４０が係合されたカム溝４２と直進溝３６とによる直進案内作用によって撮影光軸に沿って前後移動され、更に、ピント補正レンズ群２２も、カムローラ４６が係合されたカム溝４８と直進溝３６とによる直進案内作用によって撮影光軸に沿って前後移動される。この動作によって、ズーミングが行われる。
【００２２】
また、変倍レンズ群１８の保持枠２６には、図３、図５の如く逃げ溝２６Ａ、２６Ｂが形成されている。逃げ溝２６Ａは、収差補正レンズ群２０のレンズ保持枠３８のカムローラ取付部３９を逃がす溝であり、逃げ溝２６Ｂは、ピント補正レンズ群２２のレンズ保持枠４４のカムローラ取付部４５を逃がす溝であり、それぞれカムローラ取付部３９、４５に対応した大きさに形成されている。
【００２３】
ところで、実施の形態のズームレンズ装置は、図６に示す遮光リング（遮光部材に相当）６０が、図４、図５の如く変倍レンズ群１８のレンズ保持枠２６の外周部に固定されている。この遮光リング６０には、ピント補正レンズ群２２のカムローラ４６のみを逃がすための溝６２が、カムローラ４６に対応して３箇所形成されている。また、遮光リング６０は、図５上右縁部６０Ａがレンズ保持枠２６のカムローラ２８に当接する幅を有し、これによって、逃げ溝２６Ａの略半分及び逃げ溝２６Ｂの全体（遮光リング６０の溝６２が重なる部分は除く）が遮光リング６０によって閉塞される。
【００２４】
したがって、このような遮光リング６０を設けたズームレンズ装置によれば、逃げ溝２６Ａ、２６Ｂからカメラ側に入射する有害光線を遮光リング６０によって遮光するので、その有害光線入射量を大幅に減少させることができる。また、遮光リング６０には、ピント補正レンズ群２２のカムローラ４６のみを逃がすための溝６２が形成されているので、ピント補正レンズ群２２の移動を阻害せず、よって、ズーム性能は従来のズームレンズ装置と同等の性能を維持できる。
【００２５】
図７〜図１０には、第２の実施の形態に係る逃げ溝の遮光構造が示され、図１〜図６に示した第１の実施の形態に係る遮光構造と同一又は類似の部材については同一の符号を付してその説明は省略する。
【００２６】
第２の実施の形態の遮光構造は、変倍レンズ群１８のレンズ保持枠２６の外周部に遮光リング７０が摺動自在に設けられている。遮光リング７０には、撮影光軸と平行なガイド溝７２が形成され、このガイド溝７２には、レンズ保持枠２６の外周部に突設されたガイドピン７４が係合されている。これにより、遮光リング７０は、ガイド溝７２とガイドピン７４とによる直進案内作用によって、撮影光軸方向に前後移動される。
【００２７】
また、遮光リング７０は、スプリング７６（付勢手段に相当）によって、ピント補正レンズ群２２のレンズ保持枠４４に向けて付勢されている。スプリング７６は図７、図８に示すように、レンズ保持枠２６の外周部で被写体側に固定された押え環７８と遮光リング７０の先端折曲部７１との間に配置され、その付勢力によって遮光リング７０が前記方向に付勢されている。また、図８の如く、スプリング７６の付勢力によって、遮光リング７０の先端折曲部７１がレンズ保持枠２６の段部２７に当接されることによって、遮光リング７０のレンズ保持枠４４に向けた移動量が規制される。この位置において、レンズ保持枠２６の逃げ溝２６Ａの略半分及び逃げ溝２６Ｂの全体が遮光リング７０によって閉塞される（図９参照）。また、遮光リング７０のピント補正レンズ群２２側の周縁部には、緩衝部材であるゴム環８０が取り付けられ、ピント補正レンズ群２２のカムローラ４６が当接した時の衝撃が吸収される。
【００２８】
このように構成された遮光構造によれば、図９のようにピント補正レンズ群２２側のカムローラ取付部４５が逃げ溝２６Ｂから退避した状態では、前述の如く逃げ溝２６Ａ、２６Ｂが遮光リング７０によって閉塞されているので、有害光線はカメラ側に入射しない。
【００２９】
そして、ズーム調整動作によってピント補正レンズ群２２側のカムローラ取付部４５が逃げ溝２６Ｂに向けて移動してくると、まず、遮光リング７０のゴム環８０にカムローラ４６が当接し、ここでその衝撃が吸収される。この後、遮光リング７０はカムローラ４６に押され、スプリング７６の付勢力に抗して逃げ溝２６Ａ、２６Ｂを開放する方向に移動する（図１０参照）。
【００３０】
したがって、第２の実施の形態の遮光構造は、図９に示した不要時には逃げ溝２６Ａ、２６Ｂを遮光リング７０によって閉塞し、図１０に示した必要時のみ逃げ溝２６Ａ、２６Ｂを開放するので、常時逃げ溝が開放されている従来のズームレンズ装置と比較して、逃げ溝２６Ａ、２６Ｂからカメラ側に入射する有害光線をカットすることができる。また、必要時には、逃げ溝２６Ａ、２６Ｂが開放されるので、ピント補正レンズ群２２の移動を阻害せず、よって、ズーム性能は従来のズームレンズ装置と同等の性能を維持できる。
【００３１】
実施の形態では、ＥＮＧカメラ用のズームレンズ装置に適用した例について説明したが、これに限定されるものではなくＥＦＰカメラ用のズームレンズ装置等、他の形式のズームレンズ装置に適用しても良い。
【００３２】
【発明の効果】
以上説明したように本発明に係るズームレンズ装置によれば、第１保持枠の逃げ溝の外周部に、第２保持枠のカム従動子を逃がすための溝が形成された遮光部材を取り付けたので、逃げ溝からカメラ側に入射する有害光線の量を大幅に減少させることができ、ゴーストの発生を防止できる。
【００３３】
また、本発明によれば、第１保持枠の逃げ溝に、付勢手段によって第２保持枠に向けて付勢された遮光部材を取り付け、必要時のみ逃げ溝を開放する構造としたので、逃げ溝からカメラ側に入射する有害光線をカットすることができ、ゴーストの発生を防止できる。
【図面の簡単な説明】
【図１】本発明のズームレンズ装置が適用されたＥＮＧカメラ用ズームレンズ装置の一部破断部を含む側面図
【図２】図１に示したズームレンズ装置の要部拡大断面図
【図３】図１に示したズームレンズ装置の移動レンズ群の構成を示す斜視図
【図４】図１に示したズームレンズ装置の移動レンズ群の要部拡大断面図
【図５】図１に示したズームレンズ装置の移動レンズ群のレンズ保持枠の展開図
【図６】変倍用レンズのレンズ保持枠の外周部に取り付けられる遮光リングの展開図
【図７】ズームレンズ装置の他の実施の形態を示す要部拡大断面図
【図８】図７のズームレンズ装置の遮光リングとスプリングとを示した要部拡大断面図
【図９】図７に示したズームレンズ装置の遮光リングの作用を説明した図
【図１０】図７に示したズームレンズ装置の遮光リングの作用を説明した図
【図１１】従来のズームレンズ装置の要部拡大断面図
【図１２】図１１に示したズームレンズ装置のレンズ保持枠の展開図
【符号の説明】
１０…レンズ鏡胴、１８…変倍レンズ群、２０…収差補正レンズ群、２２…ピント補正レンズ群、２６、３８、４４…レンズ保持枠、２６Ａ、２６Ｂ…逃げ溝、３０…ズームカム筒、２８、４０、４６…カムローラ、３２、４２、４８…カム溝、３９、４５…カムローラ取付部、６０、７０…遮光リング、７６…スプリング
【図１】
0003876978.tif 000002
【図２】
0003876978.tif 000003
【図３】
0003876978.tif 000004
【図４】
0003876978.tif 000005
【図５】
0003876978.tif 000006
【図６】
0003876978.tif 000007
【図７】
0003876978.tif 000008
【図８】
0003876978.tif 000009
【図９】
0003876978.tif 000010
【図１０】
0003876978.tif 000011
【図１１】
0003876978.tif 000012
【図１２】
0003876978.tif 000013